(57)【要約】【課題】  ホログラフィック情報記録／再生装置、記録／再生方法及びホログラフィック情報記録媒体を提供する。【解決手段】  ホログラフィック情報を情報記録媒体に記録し、記録された情報を再生するホログラフィック情報記録／再生装置において、レーザービームを照射する光源と、光源から照射されるレーザービームを第１領域を通過する基準ビームと第２領域を通過する信号ビームとに分類して集束するものであり、信号ビームを第１焦点に集束する第１レンズ及び基準ビームを第２焦点に集束する第２レンズを備えるレンズユニットと、第１焦点が情報記録媒体の深さ方向に沿って可変されるように第１レンズを駆動する駆動部とを備える。【選択図】      図３
2008130225.tif 000002
【特許請求の範囲】
【請求項１】
ホログラフィック情報を情報記録媒体に記録し、記録された情報を再生するホログラフィック情報記録／再生装置において、
レーザービームを照射する光源と、
前記光源から照射されるレーザービームを第１領域を通過する基準ビームと第２領域を通過する信号ビームとに分類して集束するものであり、信号ビームを第１焦点に集束する第１レンズ及び基準ビームを第２焦点に集束する第２レンズを備えるレンズユニットと、
前記第１焦点が前記情報記録媒体の深さ方向に沿って可変されるように前記第１レンズを駆動する駆動部と、を備えることを特徴とするホログラフィック情報記録／再生装置。
【請求項２】
前記第１レンズは、前記信号ビームに対応する領域のみ光を集束させる屈折力を持つように構成されたことを特徴とする請求項１に記載のホログラフィック情報記録／再生装置。
【請求項３】
前記第１レンズは、
前記信号ビームに対応する領域は、光を集束させる屈折力を持つ第１レンズ部であり、前記基準ビームに対応する領域は屈折力のない第１フラット部で構成されたことを特徴とする請求項２に記載のホログラフィック情報記録／再生装置。
【請求項４】
前記第１レンズは、
前記基準ビームに対応する領域が開口で構成されたことを特徴とする請求項２に記載のホログラフィック情報記録／再生装置。
【請求項５】
前記第２レンズは、前記基準ビームに対応する領域のみ光を集束させる屈折力を持つように構成されたことを特徴とする請求項１に記載のホログラフィック情報記録／再生装置。
【請求項６】
前記第２レンズは、
前記基準ビームに対応する領域は、光を集束させる屈折力を持つ第２レンズ部であり、前記基準ビームに対応する領域は屈折力のない第２フラット部で構成されたことを特徴とする請求項５に記載のホログラフィック情報記録／再生装置。
【請求項７】
前記第２レンズは、
前記基準ビームに対応する口径を持つ対物レンズで構成されたことを特徴とする請求項５に記載のホログラフィック情報記録／再生装置。
【請求項８】
前記レーザービームのうち、前記第１フラット領域と前記第２フラット領域とをいずれも通過するビームが前記情報記録媒体に入射されないように遮断する第１ビーム遮断部をさらに備えることを特徴とする請求項１に記載のホログラフィック情報記録／再生装置。
【請求項９】
前記駆動部は、ボイスコイルモータ、圧電超音波モータで形成されることを特徴とする請求項１に記載のホログラフィック情報記録／再生装置。
【請求項１０】
前記情報記録媒体からの光信号を検出する光検出部をさらに備えることを特徴とする請求項１に記載のホログラフィック情報記録／再生装置。
【請求項１１】
前記光検出部は、前記情報記録媒体に対して前記レンズユニットと反対側に配置されたことを特徴とする請求項１０に記載のホログラフィック情報記録／再生装置。
【請求項１２】
前記情報記録媒体と前記光検出部との間の光路上に配置されたフォーカシングレンズをさらに備えることを特徴とする請求項１１に記載のホログラフィック情報記録／再生装置。
【請求項１３】
前記情報記録媒体と前記光検出部との間の光路上に配置されるものであり、前記情報記録媒体からの光信号のうち、再生信号に該当する光のみ前記光検出部に向かわせる第２ビーム遮断部をさらに備えることを特徴とする請求項１１に記載のホログラフィック情報記録／再生装置。
【請求項１４】
前記光検出部は、前記情報記録媒体に対して前記光源と同じ方向に配置されることを特徴とする請求項１０に記載のホログラフィック情報記録／再生装置。
【請求項１５】
前記光源から照射された光は、前記レンズユニットに向かわせ、前記情報記録媒体からの光は前記光検出部に向かわせるビームスプリッタをさらに備えることを特徴とする請求項１４に記載のホログラフィック情報記録／再生装置。
【請求項１６】
ホログラフィック情報が記録される情報記録媒体において、
基板と、
前記基板上に形成された第１バッファ層と、
前記基板と前記第１バッファ層との境界面であり、部分反射特性を持つ第１反射面と、
前記第１バッファ層上に形成された記録層と、
前記記録層上に形成された第２バッファ層と、
前記第２バッファ層上に形成されたカバー層と、
前記カバー層と前記第２バッファ層との境界面であり、部分反射特性を持つ第２反射面と、を備え、
記録時には前記第２反射面がサーボ制御用として使われ、再生時には、前記第２反射面と前記第１反射面とがサーボ制御用として使われることを特徴とするホログラフィック情報記録媒体。
【請求項１７】
前記記録層は光反応性物質からなることを特徴とする請求項１６に記載のホログラフィック情報記録媒体。
【請求項１８】
レーザービームを情報記録媒体に基準ビームと信号ビームとに分類されるように投射して、前記基準ビームと信号ビームとの干渉紋により情報を記録し、記録された情報を再生するホログラフィック情報記録／再生方法において、
前記基準ビーム焦点を前記情報記録媒体内で深さの固定された所定位置に形成し、前記信号ビームの焦点は、情報記録媒体の深さ方向に沿って可変させるステップを含み、
情報記録媒体の深さ方向に沿って複数層で情報を記録することを特徴とするホログラフィック情報記録／再生方法。
【請求項１９】
前記情報記録媒体は、基板上に順次積層された第１バッファ層、記録層、第２バッファ層、カバー層を備え、
前記基板と前記第１バッファ層との境界面は、部分反射特性を持つ第１反射面であり、前記カバー層と前記第２バッファ層との境界面は、部分反射特性を持つ第２反射面であることを特徴とする請求項１８に記載のホログラフィック情報記録／再生方法。
【請求項２０】
記録時には前記第２反射面をサーボ制御用として使用し、
再生時には前記第２反射面と前記第１反射面とをサーボ制御用として使用することを特徴とする請求項１９に記載のホログラフィック情報記録／再生方法。
【発明の詳細な説明】
【技術分野】
【０００１】
本発明は、ボリュームホログラフィーを利用して３次元形態で情報を記録し、記録された情報を再生するホログラフィック情報記録／再生装置、記録／再生方法及びホログラフィック情報記録媒体に関する。
【背景技術】
【０００２】
最近ホログラムを利用した光保存技術が注目されている。ホログラムを利用した情報保存法は、情報を光学干渉紋の形態にして光に敏感な無機質結晶や、あるいはポリマー材料に保存することである。光学干渉紋は、干渉性を持つ二つのレーザービームを利用して形成する。すなわち、いかなるデータも含まない基準ビーム及び所定のデータを入れた信号ビームが干渉して形成される干渉紋が、感光性記録媒体に化学的あるいは物理的変化を起こして記録される。このように記録された干渉パターンから情報を再生するためには、記録する時の光と類似した基準ビームが記録媒体に記録された干渉パターンに照射される。これは、干渉パターンによる回折を起こし、これにより信号ビームが復元されながら情報が再生される。
【０００３】
図１は、従来のホログラフィック情報記録／再生装置の構造を概略的に示す図であり、図２は、図１の情報記録装置で基準ビームと信号ビームとの干渉により情報記録媒体に情報が記録されることを詳細に示す図である。図を参照するに、ホログラフィック情報記録／再生装置は、情報記録装置２０と情報再生装置３０とを備える。情報記録装置２０は、光源２１とビームスプリッタ２２及びフォーカシングレンズ部２３を備え、情報再生装置３０は、対物レンズ３１及び光信号検出部３２を備える。フォーカシングレンズ部２３は多重焦点レンズを備え、多重焦点レンズの領域は、第１焦点を持つ第１領域と第２焦点を持つ第２領域とに区分されて、第１領域を通過する光は第１焦点Ｐに集束され、第２領域を通過する光は第２焦点Ｑに集束される。したがって、光源２１から出力されたレーザービームが第１領域及び第２領域に同時に投射されれば、第１焦点に集束される第１レーザービーム及び第２焦点に集束される第２レーザービームに分類される。第１レーザービーム及び第２レーザービームのうちいずれか一つは信号ビームになり、他の一つは基準ビームになることによって、情報記録媒体１０内の所定領域で干渉を起こして、これに対応するホログラフィック情報が記録される。ただし、このような記録は、ディスク上で同心円またはスパイラル形態のトラックに沿って内周から外周まで２次元形態で行われるという短所がある。
【０００４】
もちろん、適切な多重化技法により高密度の記録が可能である。すなわち、情報記録媒体１０内の同じ保存位置に基準ビーム入射角度、位相、波長などを変化させて重畳記録する多重化技法による場合、空間的に重なって保存された情報でも分離して再生できて高密度記録が可能である。これと共にホログラフィック情報が保存される記録媒体１０について、トラック方向だけでなく深さ方向にも位置を変化させて３次元形態で情報を保存する場合、さらに高密度で情報を記録／再生することが可能になる。
【発明の開示】
【発明が解決しようとする課題】
【０００５】
本発明は、前記の必要に応じて導出されたものであり、情報記録媒体の深さ方向に焦点が移動するように駆動されるレンズを備えて複数層で情報を記録することによって、高密度記録が可能なホログラフィック情報記録／再生装置、情報記録媒体及びホログラフィック情報記録／再生方法を提供することを目的とする。
【課題を解決するための手段】
【０００６】
前記目的を達成するための本発明の実施形態によるホログラフィック情報記録／再生装置は、ホログラフィック情報を情報記録媒体に記録し、記録された情報を再生するホログラフィック情報記録／再生装置において、レーザービームを照射する光源と、前記光源から照射されるレーザービームを第１領域を通過する基準ビームと第２領域を通過する信号ビームとに分類して集束するものであり、信号ビームを第１焦点に集束する第１レンズ及び基準ビームを第２焦点に集束する第２レンズを備えるレンズユニットと、前記第１焦点が前記情報記録媒体の深さ方向に沿って可変されるように前記第１レンズを駆動する駆動部と、を備えることを特徴とする。
【０００７】
また、本発明の実施形態によるホログラフィック情報が記録される情報記録媒体は、基板と、前記基板上に形成された第１バッファ層と、前記基板と前記第１バッファ層との境界面であり、部分反射特性を持つ第１反射面と、前記第１バッファ層上に形成された記録層と、前記記録層上に形成された第２バッファ層と、前記第２バッファ層上に形成されたカバー層と、前記カバー層と前記第２バッファ層との境界面であり、部分反射特性を持つ第２反射面と、を備え、記録時には前記第２反射面がサーボ制御用として使われ、再生時には、前記第２反射面と前記第１反射面とがサーボ制御用として使われることを特徴とする。
【０００８】
また、本発明の実施形態によるホログラフィック情報記録／再生方法は、レーザービームを情報記録媒体に基準ビームと信号ビームとに分類されるように投射して、前記基準ビームと信号ビームとの干渉紋により情報を記録し、記録された情報を再生するホログラフィック情報記録／再生方法において、前記基準ビーム焦点を前記情報記録媒体内で深さの固定された所定位置に形成し、前記信号ビームの焦点は、情報記録媒体の深さ方向に沿って可変させるステップを含み、情報記録媒体の深さ方向に沿って複数層で情報を記録することを特徴とする。
【発明の効果】
【０００９】
本発明によるホログラフィック情報記録／再生装置は、情報記録時に情報記録媒体の深さ方向に沿って焦点が可変されるようにレンズユニットを駆動する駆動部を備える特徴を持つ。これにより、情報記録媒体の体積を効率的に利用してホログラフィック情報を情報記録媒体内に複数層で保存することができ、高密度及び高速で情報を記録／再生できる。
【発明を実施するための最良の形態】
【００１０】
以下、添付された図面を参照して本発明の望ましい実施形態によるホログラフィック情報記録／再生装置、記録／再生方法及びホログラフィック情報記録媒体を詳細に説明する。しかし、後で例示される実施形態は本発明の範囲を限定するものではなく、本発明を当業者に十分に説明するために提供されるものである。以下の図面で同じ参照符号は同じ構成要素を称し、図面上で各構成要素の大きさは説明の明瞭性及び便宜のために誇張されていることがある。
【００１１】
図３は、本発明の望ましい実施形態によるホログラフィック情報記録／再生装置システムの概略的な構成を示す図であり、図４Ａないし図４Ｄは、情報記録媒体に複数層で情報が記録される段階を例示的に示す図である。
【００１２】
図を参照するに、ホログラフィック情報記録／再生装置は、情報記録媒体４００に向かってレーザービームを照射する光源１００と、光源１００から照射されるレーザービームを第１領域Iを通過する基準ビームと第２領域IIを通過する信号ビームとに分類して集束するレンズユニット２００と駆動部３００とを備える。光源１００とレンズユニット２００との間には、光源１００の配置如何によって光路を変えて情報記録媒体４００に向かわせるためのビームスプリッタ（図示せず）をさらに備えることができ、また光源１００での光をコリメートするコリメートレンズ（図示せず）をさらに備えることができる。
【００１３】
ここで、前記領域による基準ビームと信号ビームとの分類は例示的なものであり、第１領域Iを通過する光を信号ビームと分類し、第２領域IIを通過する光が基準ビームと分類して構成されることもできる。以下では、第１領域Iを通過する光が基準ビームであり、第２領域IIを通過する光が信号ビームであることでのみ説明する。
【００１４】
レンズユニット２００は、第１レンズ２１０と第２レンズ２３０とを備える。第１レンズ２１０は、信号ビームを第１焦点Ｆ１に集束するためのものであり、第２レンズ２３０は、基準ビームを第２焦点Ｆ２に集束するためのものである。
【００１５】
このために、第１レンズ２１０は、信号ビームに対応する領域のみ屈折力を持つように構成される。第１レンズ２１０の領域は、屈折力のない第１フラット領域２１０Ａと、第１フラット領域２１０Ａの周囲に形成されて屈折力を持つ第１レンズ領域２１０Ｂとで構成されている。第１フラット領域２１０Ａは、基準ビームを含む光ビームが通過する領域であり、第１レンズ領域２１０Ｂは、信号ビームを含む光ビームが通過する領域である。
【００１６】
また、第２レンズ２３０は基準ビームに対応する領域のみ屈折力を持つように構成される。第２レンズ２３０の領域は、屈折力を持つ第２レンズ領域２３０Ａと、第２レンズ領域２３０Ａの周囲に形成される領域であって屈折力のない第２フラット領域２３０Ｂとで構成されている。第２レンズ領域２３０Ａは、基準ビームに該当する光ビームが通過する領域であり、第２レンズ領域２３０Ａを通過した基準ビームが情報記録媒体４００内の第２焦点Ｆ２に集束されるように構成される。第２フラット領域２３０Ｂは、信号ビームを含む光ビームが通過する領域であり、平らに形成されて屈折力のなく構成される。
【００１７】
第１ビーム遮断部３５０は、第２レンズ２３０と情報記録媒体４００との間の光路上に配置されて、第１レンズ２１０の第１フラット領域２１０Ａと第２レンズ２３０の第２フラット領域２３０Ａとをいずれも通過する光ビーム、すなわち、信号ビームや基準ビームに該当しない光ビームが情報記録媒体４００に入射されないように遮断する。第１ビーム遮断部３５０は、例えば、ビームが透過される投射面積を調節できるしぼりで構成されうる。
【００１８】
レンズユニット２００の構成は、図示した第１レンズ２１０及び第２レンズ２３０の形状に限定されず、光ビームを信号ビームと基準ビームとに分類して第１焦点Ｆ１及び第２焦点Ｆ２に集束させる構成ならば、いかなる構造でも可能である。例えば、第１レンズ２１０の第１フラット領域２１０Ａは開口で構成されてもよい。また、第２レンズ２３０は、単純に基準ビームに対応する口径を持つ対物レンズで構成されてもよい。また、第１フラット領域２１０Ａと第２レンズ領域２３０Ａとはそれぞれに対応する光が一致し、第１レンズ領域２１０Ｂと第２フラット領域２３０Ｂともそれぞれに対応する光が一致するように形成されうる。この場合、第１ビーム遮断部３５０は不要である。
【００１９】
駆動部３００は、第１レンズ２１０の第１焦点Ｆ１が情報記録媒体４００の深さ方向に沿って可変されるように、第１レンズ２１０を駆動するものである。駆動部３００としては、例えば、ボイスコイルモータ、圧電超音波モータなどが採用できる。
【００２０】
情報記録媒体４００は、記録層４５０を備える複数層構造で形成される。例えば、情報記録媒体４００は、基板４１０上に第１バッファ層４３０、記録層４５０、第２バッファ層４７０、カバー層４９０が順次積層された構造になっている。第１反射面４３０ａは、基板４１０と第１バッファ層４３０との境界面であって、部分反射特性を持つように形成される。第２反射面４７０ａは、第２バッファ層４７０とカバー層４９０との境界面であって、部分反射特性を持つように形成される。
【００２１】
光検出部５５０は、情報記録媒体４００からの光信号を検出して情報を再生するためのものであり、情報記録媒体４００に対してレンズユニット２００と反対側に配置されている。光検出部５５０で、情報記録媒体４００からの光信号のうち再生信号に該当する光のみが検出されるように、これに該当しない光を遮断する第２ビーム遮断部４５０を備える。また、情報記録媒体４００と光検出部５５０との間の光路上には、光を光検出部５５０に向かってフォーカシングするフォーカシングレンズ５００がさらに配置されうる。図では、記録されたホログラムにより回折透過される基準ビームが再生信号として採択された場合が図示されている。この場合、ホログラムに投射された基準ビームにより復元された信号ビームはノイズに該当するので、第２ビーム遮断部４５０は信号ビームを遮断するように構成される。第２ビーム遮断部４５０としては、例えば、投射面積を調節できるしぼりが採用されうる。第２ビーム遮断部４５０は、フォーカシングレンズ５００の前方に位置していると図示されているが、フォーカシングレンズ５００の後方に配置されてもよい。また、フォーカシングレンズ５００が再生信号に該当するビームに対応する口径を持つように構成される場合、第２ビーム遮断部４５０は不要である。
【００２２】
以下、本発明のホログラフィック情報記録／再生装置が情報記録媒体４００に複数層でホログラフィック情報を記録し、これを再生する作用を説明する。光源１００から情報記録媒体４００に向かって照射された光ビームは、情報を含まない基準ビームと記録しようとする情報を含む信号ビームとを備えている。信号ビームは、例えば、保存しようとする情報によって光の強度が変調されたレーザービームで構成される。基準ビームを含む光は、第１レンズ２１０の第１フラット領域２１０Ａをそのまま透過し、透過した光ビームのうち基準ビームに該当する光は、第２レンズ２３０の第２レンズ領域２３０Ａに、残りは第２レンズ２３０の第２フラット領域２３０Ｂに向かう。第２レンズ領域２３０Ａを透過した基準ビームは、情報記録媒体４００の所定位置の第２焦点Ｆ２に向かって集束される。一方、情報記録媒体４００の第２反射面４７０ａは、記録時にトラッキング及びフォーカシングのためのサーボ制御のために形成された面であり、第２焦点Ｆ２は、第２反射面４７０ａ上に形成される。第１フラット領域２１０Ａと第２フラット領域２３０Ｂとを透過した光は、情報記録媒体４００に入射されないように第１ビーム遮断部３５０により遮断される。信号ビームに該当する光は、第２レンズ２３０の第２フラット領域２３０Ｂを通過した後、情報記録媒体４００内の所定位置の第１焦点Ｆ１に向かって集束される。第１焦点Ｆ１の位置は図示された位置に限定されず、情報記録媒体４００の記録層４５０で基準ビームと信号ビームとの干渉が起きて干渉紋を形成できる位置ならばいかなる位置でも可能である。ここで、駆動部３００は、第１焦点Ｆ１が情報記録媒体４００の深さ方向に沿って可変するように第１レンズ２１０を駆動するので、第１焦点Ｆ１の位置は変わる。図４Ａないし図４Ｄは、第１焦点Ｆ１の移動により情報記録媒体４００の記録層４５０内で基準ビームと信号ビームとの干渉がおきる位置が変わることによって、複数層で情報が記録されることを示すものである。図４Ａないし図４Ｄそれぞれは、第１焦点Ｆ１が第１面ｄ１ないし第４面ｄ４に形成された場合を示す。ここで、第１面ｄ１ないし第４面ｄ４は、信号ビームの第１焦点Ｆ１が情報記録媒体４００の深さ方向に移動することを示すために図示したものであり、物理的な境界面を意味するものではない。第１焦点Ｆ１が情報記録媒体４００の深さ方向に移動するにつれて基準ビームと信号ビームとの干渉紋が形成される位置も少しずつ変わる。第１焦点Ｆ１が移動する間隔は、形成された干渉紋の分離再生が可能な範囲内で適切に決定できる。第１焦点Ｆ１は、第１バッファ層４３０内で移動するものと図示されているが、これに限定されず、記録層４５０で基準ビームと信号ビームとの干渉による干渉紋が記録層４５０で深さ方向に沿って移動して形成される範囲内ならば、情報記録媒体４００内の他層に移動することも可能である。一方、第１レンズ２１０が第１焦点Ｆ１が移動するように駆動される間にも第２レンズ２３０は動かずに、第２焦点Ｆ２が第２反射面４７０ａ上に固定されて第２反射面４７０ａを利用してトラッキング及びフォーカシングのためのサーボ制御を行う。このような過程によりホログラフィック情報が情報記録媒体４００の深さ方向に沿って複数層で記録されるので、高密度記録が可能である。
【００２３】
記録されたホログラフィック情報を再生することは、光検出部５５０で情報記録媒体４００からの光信号を検出することによる。記録時と同じ波長の基準ビームが光源１００から情報記録媒体４００に照射されれば、基準ビームはホログラムにより回折透過され、また、基準ビームが記録されたホログラムによって回折されることで信号ビームが発生する。光検出部５５０は、回折された基準ビームや復元された信号ビームのうちいずれか一つを再生信号として選択して記録された情報を再生する。図では基準ビームを再生信号として選択した場合を図示し、この場合、ノイズに該当する信号ビームは、第２ビーム遮断部４５０により遮断されて光検出部５５０に入射されない。再生時に第２レンズ２３０のサーボ制御は第２反射面４７０ａを利用して行い、フォーカシングレンズ５００のトラッキング及びフォーカシングのためのサーボ制御は、第１反射面４３０ａを利用して行われる。フォーカシングレンズ５００は、再生信号に該当するビームが光検出部に向かうようにフォーカシングし、光検出部５５０はこれを検出して情報を再生する。
【００２４】
図５は、本発明の他の実施形態によるホログラフィック情報記録／再生装置である。ホログラフィック情報記録／再生装置は、情報記録媒体４００に向かってレーザービームを照射する光源１００と、前記光源から照射されるレーザービームを第１領域Iを通過する基準ビームと第２領域IIを通過する信号ビームとに分類して集束するレンズユニット２００と、駆動部３００とを備える。また、情報記録媒体４００からの光信号を検出して情報を再生するためのものとして、情報記録媒体４００に対してレンズユニット２００と反対側に配置された光検出部５５０を備える。本実施形態のホログラフィック情報記録／再生装置が、駆動部３００により第１レンズ２１０の焦点Ｆ１を移動形成することによって、情報記録媒体４００にホログラフィック情報を複数層で記録することは、図３及び図４で説明したことと実質的に同一であり、ただし再生時に基準ビームにより復元された信号ビームを再生信号として選択して記録された情報を再生する点でのみ、図３の実施形態と差異点がある。したがって、差異点のある構成についてのみ説明する。第２ビーム遮断部４５０’は、回折された基準ビームが光検出部５５０に入射されないように遮断する。フォーカシングレンズ５００’は、復元された信号ビームを光検出部５５０に向かって集束させるためのものであり、光を集束させうるレンズで構成される。第２ビーム遮断部４５０’は、フォーカシングレンズ５００’の前方に位置したものと図示されているが、フォーカシングレンズ５００’の後方に配置されてもよい。また、フォーカシングレンズ５００’は図示された形状だけでなく、図３で説明した、第１レンズ（図３の２１０）が採用されてもよい。すなわち、基準ビームに対応する領域は屈折力なしにフラットであり、信号ビームに対応する領域のみ屈折力を持つように構成される。また、光を集束するレンズとして、基準ビームに対応する領域は単純に開口で形成された構成でもある。
【００２５】
前述した説明でホログラフィック情報記録媒体に保存された情報を再生するための光検出部は、情報記録媒体に対してレンズユニットと反対側に配置された構成としてのみ説明したが、これは例示的なものであり、レンズユニットと同側に配置される構成も可能である。この場合、光源から照射された光は情報記録媒体に向かわせ、情報記録媒体からの光は光検出部に向かわせるビームスプリッタをさらに備えることができる。
【００２６】
前記の実施形態は例示的なものに過ぎず、当業者ならばこれより多様な変形及び均等な他の実施形態が可能である。したがって、本発明の真の技術的保護範囲は特許請求の範囲内で定まらねばならない。
【産業上の利用可能性】
【００２７】
本発明は、ホログラフィック情報の記録／再生装置、記録／再生方法及びホログラフィック情報記録媒体関連の技術分野に好適に用いられる。
【図面の簡単な説明】
【００２８】
【図１】従来のホログラフィック情報記録／再生装置の構造を概略的に示す図である。
【図２】図１の情報記録装置で基準ビームと信号ビームとの干渉により情報記録媒体に情報が記録されることを説明する図である。
【図３】本発明の望ましい実施形態によるホログラフィック情報記録／再生システムの概略的な構成を示す図である。
【図４Ａ】情報記録媒体に複数層で情報が記録される段階を例示的に示す図である。
【図４Ｂ】情報記録媒体に複数層で情報が記録される段階を例示的に示す図である。
【図４Ｃ】情報記録媒体に複数層で情報が記録される段階を例示的に示す図である。
【図４Ｄ】情報記録媒体に複数層で情報が記録される段階を例示的に示す図である。
【図５】本発明の他の実施形態によるホログラフィック情報記録／再生システムを概略的に示す図である。
【符号の説明】
【００２９】
１００    光源
２００    レンズユニット
２１０    第１レンズ
２１０Ａ  第１フラット領域
２１０Ｂ  第１レンズ領域
２３０    第２レンズ
２３０Ａ  第２レンズ領域
２３０Ｂ  第２フラット領域
３００    駆動部
３５０    第１ビーム遮断部
４００    情報記録媒体
４１０    基板
４３０    第１バッファ層
４３０ａ  第１反射面
４５０    記録層
４７０    第２バッファ層
４７０ａ  第２反射面
４９０    カバー層
５００    フォーカシングレンズ
５５０    光検出部
Ｉ        第１領域
ＩＩ      第２領域
Ｆ１      第１焦点
Ｆ２      第２焦点
【図１】
2008130225.tif 000003
【図２】
2008130225.tif 000004
【図３】
2008130225.tif 000005
【図４Ａ】
2008130225.tif 000006
【図４Ｂ】
2008130225.tif 000007
【図４Ｃ】
2008130225.tif 000008
【図４Ｄ】
2008130225.tif 000009
【図５】
2008130225.tif 000010